(57)【特許請求の範囲】
【請求項１】
枠体に内外障子をそれぞれ走行自在に納め、上記枠体を構成する下枠の上面を略平坦に形成した開口部装置において、
上記下枠は上面に凹部が形成され、該凹部の下方にはその室内外略全領域に渡る中空部が形成され、
上記下枠の凹部には上面に内障子用の内レールを有した内レール部材と、上面に外障子用の外レールを有した外レール部材とが設けられ、上記内レール部材は樹脂からなる防露アタッチ材を介して上記下枠に固定され、
上記内レール部材と上記凹部の室内面との間に形成される室内凹部には上面が上記内レール部材及び外レール部材の上面と略同じ高さの室内側部材が設けられ、上記室内側部材の上面には上記室内凹部と連通する第１水抜き孔が形成されると共に、上記室内凹部の底面には上記中空部と連通する第２水抜き孔が形成され、
上記第１水抜き孔と第２水抜き孔は下枠における長手方向位置が互いに異なることを特徴とする開口部装置。
【請求項２】
上記下枠の中空部は該中空部を室内外領域に分ける仕切壁を有し、該仕切壁には第３水抜き孔が形成されると共に、該第３水抜き孔と上記第２水抜き孔は下枠における長手方向位置が互いに異なることを特徴とする請求項１記載の開口部装置。
【請求項３】
上記内レール部材の下面には第４水抜き孔が形成され、上記防露アタッチ材は上記内レール部材の下面と当接する基面に長手方向に延びる溝部を有し、該溝部と上記凹部の底面にはこれらを貫通して上記中空部と連通する第５水抜き孔が形成され、上記第４水抜き孔と第５水抜き孔は下枠における長手方向位置が互いに異なることを特徴とする請求項１または２記載の開口部装置。
【請求項４】
上記外レール部材と上記凹部の室外面との間に形成される室外凹部には内外障子の召合せ部分に止水ブロックが設けられて、上記室外凹部における内障子配置側と外障子配置側の水の流れが遮断され、上記室外凹部には内障子配置側と外障子配置側にそれぞれ排水経路が形成されることを特徴とする請求項１〜３のいずれか１項に記載の開口部装置。
【請求項５】
上記凹部の内レール部材と外レール部材の間に形成される中央凹部には上面の高さが上記内レール部材及び外レール部材の上面と略同じに形成された中央部材が設けられると共に、内外障子の召合せ部分には中央気密ブロックが設けられて、上記中央凹部における内障子配置側と外障子配置側の水の流れが遮断され、上記中央凹部には内障子配置側と外障子配置側にそれぞれ排水経路が形成されることを特徴とする請求項１〜４のいずれか１項に記載の開口部装置。
【発明の詳細な説明】
【技術分野】
【０００１】
本発明は建物開口部に設けられ引き違い障子を納めてなる開口部装置に関し、特に下枠の上面を略平坦に形成すると共に下枠に排水経路を設けた開口部装置に関する。
【背景技術】
【０００２】
従来から、建物の出入口等に設けられる引き違い障子を納めた開口部装置において、下枠に設けられる障子用のレールを室内側の床面と略同じ高さにして、車椅子でサッシを室内外方向に通過しやすくしたものが知られている。これは、レールの高さを略揃えていることにより、車椅子の車輪が比較的上下動することなくレール間を通過することができるようにしたものである。
【０００３】
このような開口部装置においては、下枠に浸入した雨水等を排水することが必要である。そこで、室内外障子を案内する案内溝に水抜き孔を設けて排水を行うものが知られている。このような排水構造としては特許文献１に記載されたようなものがある。特許文献１の排水構造では、内レールより室内側に浸入した水を排水するために、内レールを貫通する水抜き孔を設け、水を内レールと外レールの間の領域に導いた上で排水するようにしている。
【特許文献１】特開２００５−１３９８４５号公報
【発明の開示】
【発明が解決しようとする課題】
【０００４】
内レールの断熱性を向上させるために、内レールを下枠本体とは別体の内レール部材に形成し、この内レール部材を樹脂からなる防露アタッチを介して下枠と固定するようにした構造が考えられている。この場合、内レールより室内側の水を排水するための排水経路として、内レール部材と防露アタッチを水平方向に貫通させることは構造的に困難である。一方で、下枠中空部に直接排水するように水抜き孔を形成すると、室内外の圧力差により水が室内側に逆流し吹き出すこともあり得るため、逆流を防ぐ弁が必要となり高コスト化の要因となる。
【０００５】
本発明は、上記問題点を解決すべくなされたものであり、逆流防止弁がなくても室内側に浸入した水を排水することのできる開口部装置を提供することを目的とする。
【課題を解決するための手段】
【０００６】
上記課題を解決するため、本発明に係る開口部装置は、枠体に内外障子をそれぞれ走行自在に納め、上記枠体を構成する下枠の上面を略平坦に形成した開口部装置において、
上記下枠は上面に凹部が形成され、該凹部の下方にはその室内外略全領域に渡る中空部が形成され、
上記下枠の凹部には上面に内障子用の内レールを有した内レール部材と、上面に外障子用の外レールを有した外レール部材とが設けられ、上記内レール部材は樹脂からなる防露アタッチ材を介して上記下枠に固定され、
上記内レール部材と上記凹部の室内面との間に形成される室内凹部には上面が上記内レール部材及び外レール部材の上面と略同じ高さの室内側部材が設けられ、上記室内側部材の上面には上記室内凹部と連通する第１水抜き孔が形成されると共に、上記室内凹部の底面には上記中空部と連通する第２水抜き孔が形成され、
上記第１水抜き孔と第２水抜き孔は下枠における長手方向位置が互いに異なることを特徴として構成されている。
【０００７】
また、本発明に係る開口部装置は、上記下枠の中空部は該中空部を室内外領域に分ける仕切壁を有し、該仕切壁には第３水抜き孔が形成されると共に、該第３水抜き孔と上記第２水抜き孔は下枠における長手方向位置が互いに異なることを特徴として構成されている。
【０００８】
さらに、本発明に係る開口部装置は、上記内レール部材の下面には第４水抜き孔が形成され、上記防露アタッチ材は上記内レール部材の下面と当接する基面に長手方向に延びる溝部を有し、該溝部と上記凹部の底面にはこれらを貫通して上記中空部と連通する第５水抜き孔が形成され、上記第４水抜き孔と第５水抜き孔は下枠における長手方向位置が互いに異なることを特徴として構成されている。
【０００９】
さらにまた、本発明に係る開口部装置は、上記外レール部材と上記凹部の室外面との間に形成される室外凹部には内外障子の召合せ部分に止水ブロックが設けられて、上記室外凹部における内障子配置側と外障子配置側の水の流れが遮断され、上記室外凹部には内障子配置側と外障子配置側にそれぞれ排水経路が形成されることを特徴として構成されている。
【００１０】
そして、本発明に係る開口部装置は、上記凹部の内レール部材と外レール部材の間に形成される中央凹部には上面の高さが上記内レール部材及び外レール部材の上面と略同じに形成された中央部材が設けられると共に、内外障子の召合せ部分には中央気密ブロックが設けられて、上記中央凹部における内障子配置側と外障子配置側の水の流れが遮断され、上記中央凹部には内障子配置側と外障子配置側にそれぞれ排水経路が形成されることを特徴として構成されている。
【発明の効果】
【００１１】
本発明に係る開口部装置によれば、下枠凹部の下方にはその室内外略全領域に渡る中空部を設け、内レール部材と凹部の室内面との間に形成される室内凹部に室内側部材を設け、室内側部材の上面には室内凹部と連通する第１水抜き孔を形成し、室内凹部の底面には中空部と連通する第２水抜き孔を形成し、第１水抜き孔と第２水抜き孔は下枠における長手方向位置が互いに異なることにより、室内凹部に浸入した水を下枠の中空部に直接導くことができ、第２水抜き孔から水が噴出した場合にも、室内と連通する第１水抜き孔に直接水が噴出しないので、第２水抜き孔に逆流防止弁を設けることなく排水を行うことができる。
【００１２】
また、本発明に係る開口部装置によれば、下枠中空部の仕切壁に形成される第３水抜き孔と第２水抜き孔は下枠における長手方向位置が互いに異なることにより、第３水抜き孔から水が噴出した場合にも、第２水抜き孔に直接水が噴出しないので、第３水抜き孔に逆流防止弁を設けることなく排水を行うことができる。
【００１３】
さらに、本発明に係る開口部装置によれば、内レール部材の下面に形成される第４水抜き孔と防露アタッチ材の溝部に形成される第５水抜き孔は下枠における長手方向位置が互いに異なることにより、第５水抜き孔から水が噴出した場合にも、第４水抜き孔に直接水が噴出しないので、第５水抜き孔に逆流防止弁を設けることなく排水を行うことができる。
【００１４】
さらにまた、本発明に係る開口部装置によれば、外レール部材と凹部の室外面との間に形成される室外凹部には内外障子の召合せ部分に止水ブロックが設けられて、室外凹部における内障子配置側と外障子配置側の水の流れが遮断され、室外凹部には内障子配置側と外障子配置側にそれぞれ排水経路が形成されることにより、水の浸入量が異なる両領域についてそれぞれ独立した排水経路が形成されるので、効率よく排水をなすことができる。
【００１５】
そして、本発明に係る開口部装置によれば、凹部の内レール部材と外レール部材の間に形成される中央凹部には内外障子の召合せ部分に中央気密ブロックが設けられて、中央凹部における内障子配置側と外障子配置側の水の流れが遮断され、中央凹部には内障子配置側と外障子配置側にそれぞれ排水経路が形成されることにより、中央凹部についても水の浸入量が異なる両領域についてそれぞれ独立した排水経路が形成されるので、効率よく排水をなすことができる。
【発明を実施するための最良の形態】
【００１６】
本発明の実施形態について図面に沿って詳細に説明する。図１は、本実施形態におけるサッシの縦断面図である。また、図２は、本実施形態におけるサッシの横断面図である。これら各図において、本実施形態におけるサッシは、建物開口部に装着された下枠１０、上枠２０、及び縦枠３０、３０からなる枠体１内に、下框４０、上框５０、及び縦框６０、６０を框組みしてガラスを納めてなる内障子２及び外障子３を引違い状に走行自在に納めると共に、外障子３の室外側に網戸４を納めてなるものである。
【００１７】
枠体１を構成する下枠１０と上枠２０及び縦枠３０は、複合型の枠材であり、ベースとなる金属部材とその室内側露出部分を覆う樹脂部材とから構成されている。金属部材は、金属下枠１１、金属上枠２１、金属縦枠３１、３１を方形に枠組みして構成される。一方、樹脂部材は、金属上枠２１に対して樹脂上枠２２が、金属縦枠３１、３１に対して樹脂縦枠３２、３２が、それぞれ取付けられる。金属下枠１１に対して取付けられる樹脂下枠１２については、後で説明する。各金属部材には、それぞれ係止片が設けられ、樹脂部材はそれらに係合された上で、ネジによって固定される。
【００１８】
一方、内障子２及び外障子３は、上記枠体１と同様に金属部材とその室内側露出部分を略覆うように取付けられた樹脂部材とから構成されている。金属部材は、金属下框４１、金属上框５１、金属縦框６１、６１を方形に枠組みして構成され、樹脂部材は、樹脂下框４２、樹脂上框５２、樹脂縦框６２、６２から構成されている。そして、樹脂下框４２は金属下框４１に、樹脂上框５２は金属上框５１に、樹脂縦框６２、６２は金属縦框６１、６１に、それぞれ取り付けられている。各金属部材には、それぞれ係止片が設けられ、樹脂部材はそれらに係合された上で、ネジ及びカシメによって固定される。
【００１９】
なお、枠体１と内障子２及び外障子３の金属部材は通常アルミの押出し型材にて成型され、また枠体１と内障子２及び外障子３の樹脂部材は塩化ビニルやアクリル樹脂等から成型される。このように樹脂部材にて金属部材の室内側露出部分を覆うことにより、金属による冷たい感じを隠し、また熱伝導率の低い樹脂によって断熱効果を向上させている。
【００２０】
下枠１０についてさらに詳細に説明する。図３には、下枠１０の拡大図を示している。この図に示すように下枠１０の上面には、室内側面１３から上面に網戸レール１４ａを有した網戸レール部１４に渡って凹部１５が形成されており、凹部１５には内障子２を案内する内レール７０ａが上面に形成された内レール部材７０と、外障子３を案内する外レール７２ａが上面に形成された外レール部材７２とが設けられており、内レール部材７０と外レール部材７２の上面はそれぞれ枠体１の室内側の床面と略同じ高さとされている。また、網戸レール部１４の上面も、同様に枠体１の室内側の床面と略同じ高さとされている。
【００２１】
内レール部材７０と下枠１０の室内側面１３によって室内凹部１５ａが形成され、この上面を覆うように樹脂からなる室内側部材７３が設けられる。室内側部材７３は、上面が室内側の床面と略同じ高さとなるように形成されており、下枠１０の室内側面１３よりもさらに室内側まで延出され、室内側の床面に対して固定される。また、内レール部材７０と外レール部材７２の間には中央凹部１５ｂが形成され、この中央凹部１５ｂには上面７４ａが内レール部材７０及び外レール部材７２の上面と略同じ高さに形成された中央部材７４が設けられる。これらによって、室内側の床面から室内側部材７３、内レール部材７０、中央部材７４、外レール部材７２、及び網戸レール部１４に渡る面が略平坦となるように構成されている。
【００２２】
内レール部材７０は、樹脂からなる防露アタッチ材７１を介して下枠１０に固定されている。防露アタッチ材７１は、断面略Ｌ字状に形成され、内レール部材７０の下面及び室内面と重ね合わされる。これにより内レール部材７０は金属下枠１１に直接接触しないので、内レール部材７０の結露を防ぐことができる。また、室内側部材７３は、室外端部において防露アタッチ材７１に連係するように構成されている。
【００２３】
下枠１０の凹部１５の下方には、中空部１６が形成されている。中空部１６は、凹部１５の室内外方向略全長に渡って形成されており、したがって室内凹部１５ａの下方、中央凹部１５ｂの下方、及び室外凹部１５ｃの下方のいずれにも配置されている。下枠１０の上面から浸入した水の一部は、一旦中空部１６に導かれた上で外部に排出される。
【００２４】
次に、排水経路について説明する。図４には内障子２と外障子３の召合せ部分における下枠付近の拡大断面図を、図５には内障子２が配置される部分における下枠付近の拡大断面図を、図６には外障子３が配置される部分における下枠付近の拡大断面図を、それぞれ示している。図４に示すように、内障子２と外障子３の召合せ部分においては、中央凹部１５ｂに中央気密ブロック７５を設け、室外凹部１５ｃに止水ブロック７６を設けている。これらによって中央凹部１５ｂと室外凹部１５ｃでは、内障子２が配置される領域と外障子３が配置される領域とを遮断し、一方の領域に浸入した水が他方の領域に流れないようにしている。このため、中央凹部１５ｂと室外凹部１５ｃには、内障子２が配置される領域と外障子３が配置される領域にそれぞれ独立した排水経路を形成している。
【００２５】
中央気密ブロック７５は、上面にヒレ部７５ａを有しており、これが内障子２の室外面下端部及び外障子３の室内面下端部にそれぞれ当接することにより、召合せ部分における気密性を確保している。また、止水ブロック７６の上面にもヒレ部７６ａが形成されており、これが外障子３の室外面下端部に当接している。
【００２６】
下枠１０の上面から浸入した水の排水経路は、室内凹部１５ａと中央凹部１５ｂ及び室外凹部１５ｃでそれぞれ異なっている。また、中央凹部１５ｂについては、中央部材７４の室内側と室外側でもそれぞれ異なっている。図５に示すように内障子２が配置された側の領域では、室外凹部１５ｃに浸入した水は、凹部１５の室外側面である網戸レール部１４を介して水平方向に排出される。また、中央部材７４の上面を介して中央凹部１５ｂの中央部材７４よりも室外側の部分に浸入した水は、外レール部材７２を介して水平方向に流され、室外凹部１５ｃに導かれる。その先は室外凹部１５ｃの排水経路と共通である。さらに、中央凹部１５ｂの中央部材７４よりも室内側の部分に浸入した水は、中央部材７４を介してその室外側の部分に導かれる。その先は室外側の部分の排水経路と共通である。一方、室内側部材７３を介して室内凹部１５ａに浸入した水は、室内凹部１５ａの底面から中空部１６に導かれ、その室外面から外部に排出される。
【００２７】
図６に示すように外障子３が配置された側の領域では、室外凹部１５ｃに浸入した水は、内障子側の領域と同様に凹部１５の室外側面である網戸レール部１４を介して水平方向に排出される。中央部材７４の上面を介して中央凹部１５ｂの中央部材７４よりも室外側の部分に浸入した水は、外レール部材７２の下面及び中央凹部１５ｂの底面を介して中空部１６に導かれ、その室外面から外部に排出される。また、中央凹部１５ｂの中央部材７４よりも室内側の部分に浸入した水は、内レール部材７０の下面と防露アタッチ材７１の下面及び中央凹部１５ｂの底面を介して中空部１６に導かれ、その室外面から外部に排出される。室内凹部１５ａについては内障子２が配置された側と共通である。
【００２８】
これらの排水経路を構成するために、下枠１０と凹部１５に設けられた各部材及び中空部１６の仕切板１７には、水抜き孔が形成されている。図５及び図６に示すように、室内側部材７３の室内凹部１５ａを覆う上面には、第１水抜き孔８０が形成されている。また、室内凹部１５ａの底面には中空部１６と連通する第２水抜き孔８１が形成されている。中空部１６に導かれた水を室外側に導くため、中空部１６に形成された仕切板１７には第３水抜き孔８２が形成されている。そして、中空部１６の室外面には第１排水孔９０が形成されており、中空部１６の水が外部に排出される。
【００２９】
内レール部材７０を防露アタッチ材７１を介して下枠１０に固定するようにしたことにより、室内凹部１５ａに浸入した水を水平方向に導くのは構造的に困難であるため、中空部１６を室内凹部１５ａの下方に達するように形成し、室内凹部１５ａの底面から垂直方向に水を導くようにしている。この場合、中空部１６から水が逆流して室内側に水が噴出することがあり、これを防止するため後述のように、第１水抜き孔８０と第２水抜き孔８１について下枠１０における長手方向位置が異なるように配置する。
【００３０】
図６に示すように、外障子３が配置される側の領域においては、内レール部材７０の下面には、第４水抜き孔８３が形成される。また、防露アタッチ材７１の下面には、長手方向に延びる溝部７１ａが形成されており、この溝部７１ａの底面には第５水抜き孔８４が形成される。第５水抜き孔８４は、下枠１０の凹部１５底面にも形成されてこれを貫通し、中空部１６と連通するようにしている。これにより、中央凹部１５ｂのうち中央部材７４よりも室内側の部分に浸入した水を中空部１６に導くことができる。
【００３１】
さらに、中央凹部１５ｂのうち中央部材７４よりも室外側の部分においては、中央部材７４の上面に第６水抜き孔８５が形成されると共に、外レール部材７２と下枠１０の凹部１５底面を貫通して中空部１６と連通する第７水抜き孔８６が形成されている。これにより、中央凹部１５ｂのうち中央部材７４よりも室外側の部分に浸入した水も中空部１６に導くことができ、第１排水孔９０を介して外部に水を排水することができる。そして、室外凹部１５ｃの室外面である網戸レール部１４の垂直面には、第２排水孔９２が形成されており、外障子３が配置される側の領域においてはここから室外凹部１５ｃに浸入した水が排水される。
【００３２】
また、図５に示すように内障子２が配置される側の領域においては、中央部材７４の垂直面には第８水抜き孔８７が、外レール部材７２の垂直面には第９水抜き孔８８が、それぞれ形成されると共に、下枠１０の室外面を構成する網戸レール部１４の垂直面には第３排水孔９１が形成される。これによって内障子２が配置される側の中央凹部１５ｂ及び室外凹部１５ｃに浸入した水の排水経路が構成される。
【００３３】
さらには、図５及び図６に示すように網戸レール部１４の上面には第１０水抜き孔８９が形成され、その下方に配置され下枠１０の室外面から室外側に突出した突出部１８には、第１１水抜き孔９３が形成される。第１１水抜き孔９３は、第１０水抜き孔８９を介して流れる水と、第２排水孔９２及び第３排水孔９１から排水された水とを下方に排水する。
【００３４】
図７には金属下枠１１の平面図を、図８には金属下枠１１を室外側から見た正面図を、それぞれ示している。図７には、室内側部材７３の第１水抜き孔８０と内レール部材７０の第４水抜き孔８３及び中央部材７４の第６水抜き孔８５を仮想線にて示している。図７に示すように、室内側部材７３の第１水抜き孔８０は長孔状に複数並設されており、下枠１０の凹部１５底面に形成される第２水抜き孔８１とは長手方向位置が異なっている。これにより、中空部１６から水が逆流して第２水抜き孔８１から水が噴出しても、第１水抜き孔８０に直接噴出することがないので、室内側に向かって水が噴出することを防止することができ、逆流防止弁を設ける必要がない。
【００３５】
また、図８に示すように、中空部１６の仕切板１７に形成される第３水抜き孔８２は、下枠１０における左右両端部に形成されていて、第２水抜き孔８１とは長手方向位置が異なっている。これにより、第３水抜き孔８２から水が逆流して噴出しても、第２水抜き孔８１に直接噴出することがないので、室内側への水の噴出をより防止することができる。
【００３６】
さらに、図７に示すように、内レール部材７０の第４水抜き孔８３は、第１水抜き孔８０と同様に長孔状に複数並設されており、下枠１０の凹部１５底面及び防露アタッチ材７１の溝部７１ａ底面を貫通するように形成される第５水抜き孔８４とは長手方向位置が異なっている。上述のように内レール部材７０と防露アタッチ材７１は、下面において重なり合うが、防露アタッチ材７１には溝部７１ａが形成されていることにより、外障子３が配置される側の領域における中央凹部１５ｂの中央部材７４よりも室内側部分に浸入した水は、第４水抜き孔８３を介して溝部７１ａに導かれ、さらに第５水抜き孔８４を介して中空部１６に導かれる。したがって、中空部１６から水が逆流して第５水抜き孔８４から水が噴出しても、長手方向位置の異なる第４水抜き孔８３に直接水が噴出することがなく、室内側への水の噴出を防止することができる。
【００３７】
図７に示すように、中央部材７４の第６水抜き孔８５についても同様にその下方に配置される第７水抜き孔８６と長手方向位置が異なるように配置されている。これによって、中空部１６から水が逆流して第７水抜き孔８６から水が噴出しても、長手方向位置の異なる第６水抜き孔８５に直接水が噴出することがなく、室内側への水の噴出を防止することができる。
【００３８】
中央凹部１５ｂ及び室外凹部１５ｃからの排水経路は、上述のように内障子２が配置される側の領域と外障子３が配置される側の領域とでそれぞれ独立しているので、図８に示すように下枠１０の室外面には左右両方に排水孔が形成されている。ここで、中空部１６の室外面に形成される第２排水孔９２及び第３排水孔９１は、仕切板１７に形成される第３水抜き孔８２とは異なる長手方向位置に配置されている。第２排水孔９２及び第３排水孔９１には逆流防止弁が設けられているが、ここでも万一水が逆流して噴出したとしても、第３水抜き孔８２に直接水が噴出しないようにしている。
【００３９】
これまで本発明の実施形態について説明したが、本発明の適用はこれら実施形態には限られず、その技術的思想の範囲内において様々に適用されうるものである。
【図面の簡単な説明】
【００４０】
【図１】本実施形態における開口部装置の縦断面図である。
【図２】本実施形態における開口部装置の横断面図である。
【図３】図２の下枠付近拡大図である。
【図４】障子の召合せ部分における下枠付近拡大図である。
【図５】内障子が配置される側における下枠付近拡大図である。
【図６】外障子が配置される側における下枠付近拡大図である。
【図７】金属下枠の平面図である。
【図８】金属下枠の正面図である。
【符号の説明】
【００４１】
１    枠体
２    内障子
３    外障子
４    網戸
１０    下枠
１５    凹部
１５ａ  室内凹部
１５ｂ  中央凹部
１５ｃ  室外凹部
１６    中空部
１７    仕切板
７０    内レール部材
７１    防露アタッチ材
７２    外レール部材
７３    室内側部材
７４    中央部材
【図１】
0004551308.tif 000002
【図２】
0004551308.tif 000003
【図３】
0004551308.tif 000004
【図４】
0004551308.tif 000005
【図５】
0004551308.tif 000006
【図６】
0004551308.tif 000007
【図７】
0004551308.tif 000008
【図８】
0004551308.tif 000009